(57)【要約】【課題】多数の画像データを整理保管し、必要に応じて簡単な操作によって目的とする画像のみを抽出し表示することができ、かつ複数受診者を連続診断する装置を提供する。【解決手段】複数の画像データを格納するデータ蓄積部５から画像データを取得し、該取得した画像を表示する表示部２を有する医用画像表示装置１であって、データ蓄積部５に格納されている受診者に関連付けられた画像の中から複数の診断対象画像データを表示部２に一括してサムネイル画像３で表示し、該サムネイル画像３の中から特定のサムネイル画像３を選択することにより該特定のサムネイル画像３に対応した診断画像４が表示部２に表示できるようにした。【選択図】　図１
2004073680.tif 000002
【特許請求の範囲】
【請求項１】
複数の画像データを格納するデータ蓄積部から画像データを取得し、該取得した画像を表示する表示部を有する医用画像表示装置であって、前記データ蓄積部に格納されている受診者に関連付けられた画像の中から複数の診断対象画像データを前記表示部に一括してサムネイル画像で表示し、該サムネイル画像の中から特定のサムネイル画像を選択することにより該特定のサムネイル画像に対応した診断画像が前記表示部に表示できるようにしたことを特徴とする医用画像表示装置。
【請求項２】
前記データ蓄積部は、受診者ＩＤ、受診者名等の受診者情報と、画像ＩＤ、診断画像、サムネイル画像等の画像情報とを有し、かつ該画像情報と前記受診者情報とは互いに関連付けられたデータベースを構成していることを特徴とする請求項１に記載の医用画像表示装置。
【請求項３】
受診者を一度に複数指定した場合に、該複数の各受診者の前記受診者情報と画像情報を読影者の指定した診断順序順に関連付けることにより、読影者の操作で次に診断する受診者に関連付けられた画像を前記表示部に表示させるようにし、複数の受診者の診断画像を診断順序順に連続して読影できるようにしたことを特徴とする請求項１又は２に記載の医用画像表示装置。
【請求項４】
診断対象となる受診者に対応する診断画像を一括して格納できるキャッシュメモリを有し、該キャッシュメモリに格納されている診断画像を前記表示部に表示させることで、診断画像を高速に表示することができるようにしたことを特徴とする請求項１乃至３のいずれか１つに記載の医用画像表示装置。
【請求項５】
前記表示部には、サムネイル画像表示領域と診断画像表示領域とを有し、前記サムネイル画像表示領域に表示されている特定のサムネイル画像を選択して前記診断画像表示領域へドラッグ＆ドロップすることにより、前記特定のサムネイル画像に対応する診断画像が表示されることを特徴とする請求項１乃至４のいずれか１つに記載の医用画像表示装置。
【発明の詳細な説明】
【０００１】
【発明の属する技術分野】
この発明は、撮影した画像及びその付帯情報を管理し、ユーザーが観察できるように表示する画像表示装置に関するものであり、特に、医用画像の表示装置として最適な画像表示装置である。
【０００２】
【従来の技術】
従来、医療の分野では画像情報はフィルムにプリントして保管し、これを取り出してシャウカステンと呼ばれる器具の上に置いて読影するというのが一般的であった。
【０００３】
このように、読影にアナログ画像であるフィルムを使用した場合、フィルムを保管室等の保管場所に保管し、読影の際には人手によって読影対象の受診者に関するフィルムを選定する必要があった。この場合には、手間がかかるだけでなく、誤って他人のフィルムを読影してしまう等の医療ミスが起こる可能性があった。
【０００４】
また、読影に従来のシャウカステンを使用した場合、新しくフィルムを読影する際に、人手でフィルムをはずしてまたかけ直す必要があり、手間がかかっていた。
【０００５】
しかしながら、近年ではコンピュータの発展に伴い、医療の分野においてのコンピュータ化が浸透してきており、特に、画像診断の分野においては、この流れが急速に進展している。
【０００６】
そこで、従来の読影にかかる手間を省くためにアナログ画像に代えてデジタル画像を使用した、特開平１０−９７５８２号公報に記載された医療情報システムについての技術が開発されている。
【０００７】
【発明が解決しようとする課題】
しかしながら、特開平１０−９７５８２号公報に記載された医療情報システムは、カルテ、医用画像、読影レポート、検査結果等の診断に必要な情報を電子化して統合的に保管するとともに、簡単な操作で必要な情報を画面上に表示し、医師への有用な情報を提供することを目的としたものであって、簡単な操作によって複数受診者を連続診断することはできなかった。
【０００８】
そこで、この発明は、以上のような従来技術の問題点を解消するために考えられたものであり、多数の画像データを整理保管し、必要に応じて簡単な操作によって目的とする画像のみを素早く抽出し表示することができ、かつ複数受診者を連続診断する装置を提供することを課題としている。
【０００９】
【課題を解決するための手段】
かかる課題を解決するために、請求項１に記載の発明は、複数の画像データを格納するデータ蓄積部から画像データを取得し、該取得した画像を表示する表示部を有する医用画像表示装置であって、前記データ蓄積部に格納されている受診者に関連付けられた画像の中から複数の診断対象画像データを前記表示部に一括してサムネイル画像で表示し、該サムネイル画像の中から特定のサムネイル画像を選択することにより該特定のサムネイル画像に対応した診断画像が前記表示部に表示できるようにしたことを特徴としている。
【００１０】
請求項２に記載の発明は、請求項１の構成に加えて、前記データ蓄積部は、受診者ＩＤ、受診者名等の受診者情報と、画像ＩＤ、診断画像、サムネイル画像等の画像情報とを有し、かつ該画像情報と前記受診者情報とは互いに関連付けられたデータベースを構成していることを特徴としている。
【００１１】
請求項３に記載の発明は、請求項１又は２の構成に加えて、受診者を一度に複数指定した場合に、該複数の各受診者の前記受診者情報と画像情報を読影者の指定した診断順序順に関連付けることにより、読影者の操作で次に診断する受診者に関連付けられた画像を前記表示部に表示させるようにし、複数の受診者の診断画像を診断順序順に連続して読影できるようにしたことを特徴としている。
【００１２】
請求項４に記載の発明は、請求項１乃至３のいずれか１つの構成に加えて、診断対象となる受診者に対応する診断画像を一括して格納できるキャッシュメモリを有し、該キャッシュメモリに格納されている診断画像を前記表示部に表示させることで、診断画像を高速に表示することができるようにしたことを特徴としている。
【００１３】
請求項５に記載の発明は、請求項１乃至４のいずれか１つの構成に加えて、前記表示部には、サムネイル画像表示領域と診断画像表示領域とを有し、前記サムネイル画像表示領域に表示されている特定のサムネイル画像を選択して前記診断画像表示領域へドラッグ＆ドロップすることにより、前記特定のサムネイル画像に対応する診断画像が表示されることを特徴としている。
【００１４】
【発明の実施の形態】
この発明の医用画像表示装置に係る実施の形態について、図面に従って説明する。
【００１５】
図１は、この発明の医用画像表示装置に係る実施の形態の構成を示したブロック図である。
【００１６】
画像表示装置１には、表示部２にオリジナルサイズの画像を縮小して一覧表示できるようにしたサムネイル画像３と、表示部２に大きく表示される読影者が診断に使用する診断画像４と、画像ＩＤ、サムネイル画像３、診断画像４、検査ＩＤ、検査名、撮影日等の画像に関する様々な画像情報と、受診者ＩＤ、受診者名、当該受診者に関連付けられている画像情報等の受診者に関する受診者情報とを保存するデータ蓄積部５が備えられている。
【００１７】
この発明の実施の形態では、データ蓄積部５としてデータベースを使用しており、多数の画像情報及び受診者情報等を一括管理することによって、検索・データ取得にかかる処理時間を短縮するようにしている。また、この発明の実施の形態において、各ＩＤはシステム全体でＩＤ毎に一意である。
【００１８】
さらに、画像表示装置１には、診断対象となる診断画像を選択する等の読影者の指示を画像表示装置１に対して要求をするための入力デバイス６が備えられている。
【００１９】
入力デバイス６としては、マウスが一般的でリーズナブルではあるが、タッチパネル、キーボード、専用デバイス等でも代用が可能である。
【００２０】
図１において、７はサムネイル画像表示部であり、画像情報の一部であるサムネイル画像３をデータ蓄積部５から読み込んで表示させる部分である。８は、サムネイル画像選択部であり、サムネイル画像表示部７によって表示したサムネイル画像３を入力デバイス６によって１枚、若しくは複数枚選択する部分である。選択したサムネイル画像３に対応した診断画像４は診断画像表示部９によって表示される。この診断画像表示部９では、複数の診断画像４を表示部２へ並べて表示し、診断・読影を実現できるようになっている。
【００２１】
受診者選択部１０は、データ蓄積部５に登録されている受診者情報を一覧表示させる受診者一覧表示部１１によって表示した受診者情報の一覧から、診断対象となる受診者情報を入力デバイス６によって１人若しくは複数人数選択する部分である。読影者が選択した受診者情報に含まれる画像情報はデータ蓄積部５から読み込まれ、画像一覧表示部１３によって一覧表示される。
【００２２】
また、受診者選択部１０で複数人数の受診者情報を選択した際、この複数の各受診者の受診者情報と画像情報は読影者の指定した診断順序順に関連付けられ、読影者が入力デバイス６によって診断受診者スライド部１８を操作することにより、診断受診者スライド部１８は次に診断する受診者をデータ蓄積部５から選択し、該受診者に関連付けられたサムネイル画像３及び診断画像４がサムネイル画像表示部７及び診断画像表示部９によって表示部２に表示される。
【００２３】
画像選択部１２は、受診者選択部１０で選択した受診者情報に含まれる画像情報を画像一覧表示部１３によって一覧表示した画像情報の一覧から、診断対象となる画像情報を入力デバイス６によって１つ若しくは複数個選択し、選択された画像情報に含まれるサムネイル画像３及び診断画像４をデータ蓄積部５から読み出す。
【００２４】
表示部２は、サムネイル画像表示部７、診断画像表示部９、受診者一覧表示部１１及び画像一覧表示部１３からのデータを受信してそれぞれの画像を表示するものであって、具体的にはＣＲＴ、プラズマディスプレイ、液晶ディスプレイ等があげられる。
【００２５】
なお、表示部２に対して高速に診断画像４を表示するために、キャッシュメモリ１４を使用している。つまり、画像選択部１２で診断対象となる画像情報が選択された際、選択された画像情報に対応する診断画像４を予めキャッシュメモリ１４に格納し、診断対象のサムネイル画像３が選択されたとき、このキャッシュメモリ１４から表示部２に指定された診断画像４を出力する。また、受診者選択部１０で複数人数の受診者情報が選択されている場合には、入力デバイス６によって、診断受診者スライド部１８が操作されたとき、このキャッシュメモリ１４から表示部２に指定された診断画像４を出力する。
【００２６】
読影者が入力デバイス６を操作して、受診者選択部１０より診断対象となる受診者情報を選択した際、データ蓄積部５に格納されている受診者情報及び受診者情報に含まれる診断対象となる画像情報を一覧表示することができる。つまり、診断対象となる受診者情報を選択すると、受診者情報に含まれる画像情報の一覧が画像一覧表示部１３で生成されて、それらの画像情報が表示部２に一覧表示される。これにより、読影者は表示部２に表示された画像情報の一覧から、診断対象となる画像情報を選択することができる。
【００２７】
以下、この発明の医用画像表示装置に係る実施の形態による診断対象画像のサムネイル画像表示と診断画像表示に関する操作方法について説明する。
【００２８】
図２は、表示部に表示される受診者選択部位と画像選択部位とを有する画面の一例である。図３は、表示部に表示される診断画像表示領域を有する画面の一例である。
【００２９】
表示部２の受診者選択部位１０ａに一覧表示された受診者の一覧から診断対象となる受診者情報を、入力デバイス６を操作して１人若しくは複数人数分選択する。選択後、選択された受診者情報に含まれる画像情報が表示部２の画像選択部位１２ａに一覧表示される。
【００３０】
次に、画像選択部位１２ａに表示された画像情報の一覧から診断対象となる画像情報を、入力デバイス６を操作して１つ若しくは複数個選択する。選択後、「画像を表示する」ボタン１５を押し下げ、若しくはこれに相当する処理を行うことで、選択された画像情報に含まれるサムネイル画像３が表示部２のサムネイル画像表示領域１６に表示される。
【００３１】
ここで、入力デバイス６がマウス及びキーボードの場合、診断対象となる受診者情報又は画像情報に対応する箇所をクリック又はｓｈｉｆｔキー等のキーボードのキーを押し下げることによって、診断対象の受診者情報又は画像情報を選択することができる。
【００３２】
サムネイル画像表示領域１６に表示されたサムネイル画像３から入力デバイス６によって１枚若しくは複数枚選択すると、選択されたサムネイル画像３に対応する診断画像４が診断画像表示部９により表示装置２の診断画像表示領域１７に表示される。
【００３３】
これにより、読影者はまるで従来のシャウカステンにフィルムをかけるかのように、簡単な操作で診断画像４を表示部２の診断画像表示領域１７に表示させて見ることができる。
【００３４】
サムネイル画像３が複数選択された場合は、診断画像表示領域１７を画面分割し、選択された全てのサムネイル画像３に対応する診断画像４が表示される（図３では、サムネイル画像３が２つ選択された場合を示している）。
【００３５】
ここで、入力デバイス６がマウスの場合、サムネイル画像表示領域１６上のサムネイル画像３を診断画像表示領域１７にドラッグ＆ドロップ若しくはこれに相当する処理を行うことで、選択されたサムネイル画像３に対応する診断画像４が診断画像表示領域１７に表示されるようにしている。
【００３６】
また、画像選択部位１２ａから診断対象となる画像情報が選択された時、読影者が選択した画像情報に含まれる診断画像４を予めキャッシュメモリ１４に格納しておくことによって、次の診断画像４を表示する際、このキャッシュメモリ１４に格納している診断画像４を即座に診断画像表示部９へ転送し、表示部２の診断画像表示領域１７へ表示することができるため、高速に次の診断画像４を表示部２に表示することができる。
【００３７】
次に、この発明の医用画像表示装置に係る実施の形態において、選択された画像情報に含まれる診断画像４をキャッシュメモリ１４に格納し、このキャッシュメモリ１４に格納された診断画像４を表示部２に表示する手順をフローチャートに従って説明する。
【００３８】
図４は、この発明の医用画像表示装置に係る実施の形態において、選択された画像情報に含まれる診断画像をキャッシュメモリに格納する手順を示したフローチャートである。図５は、診断対象のサムネイル画像が選択された時、診断画像を表示する手順を示したフローチャートである。
【００３９】
まず、読影者が選択した画像ＩＤ１８を入力すると、画像ＩＤ１８に対応する画像情報１９を出力する（ステップＳ１）。
【００４０】
次に、ステップＳ１で出力された画像情報１９で指定したサムネイル画像３をデータ蓄積部５から読み出して、表示部２のサムネイル画像表示領域１６にサムネイル画像３を表示する（ステップＳ２）。
【００４１】
さらに、ステップＳ１で出力された画像情報１９で指定した診断画像４をデータ蓄積部５から読み出して、取得する（ステップＳ３）。
【００４２】
ステップＳ３で取得した診断画像４は、そのままキャッシュメモリ１４に格納する（ステップＳ４）。
【００４３】
その後、図５のフローチャートに示したように、読影者が入力デバイス６によって選択したサムネイル画像３を入力すると、それに対応した診断画像４をキャッシュメモリ１４から読み出す（ステップＳ５）。
【００４４】
次に、診断対象とする診断画像４を診断画像表示部９に入力すると、その診断画像４を表示部２の診断画像表示領域１７に表示する（ステップＳ６）。
【００４５】
次に、複数の受診者の連続診断を行う場合の操作方法について説明する。
【００４６】
図６は、表示部に診断画像を２画面表示した場合の画面の一例である。
【００４７】
受診者選択部位１０ａで一度に複数の受診者情報を選択することで、受診者毎に連続的に診断することができる。
【００４８】
つまり、次の受診者を診断する場合は、診断受診者スライド部位１８ａ（右矢印ボタン）を押し下げ又はメニューを選択すること、若しくはこれに相当する処理を行うことによって、サムネイル画像表示領域１６に表示されているサムネイル画像３ａ及び診断画像表示領域１７に表示されている診断画像４ａが、次の受診者に関連付けられたサムネイル画像（図示せず）及び診断画像（図示せず）に切り替わる。
【００４９】
前の受診者を再度診断する場合は、診断受診者スライド部位１８ａ（左矢印ボタン）を押し下げ又はメニューを選択すること、若しくはこれに相当する処理を行うことによって、サムネイル画像表示領域１６に表示されているサムネイル画像（図示せず）及び診断画像表示領域１７に表示されている診断画像（図示せず）が、前の受診者に関連付けられたサムネイル画像３ａ及び診断画像４ａに切り替わる。
【００５０】
また、診断時の画像表示順は、読影者が指定した順番で診断することができる。例えば、昇順、降順を問わず、受診者名の五十音順、受診者ＩＤ順、撮影日付順、検査ＩＤ順等に指定することができる。
【００５１】
次に、受診者選択部位１０ａで複数の受診者情報が選択された場合に、この複数の受診者に対応した診断画像４を表示部２に表示する手順を説明する。
【００５２】
まず、読影者が受診者選択部位１０ａで複数の受診者情報を選択すると、この複数の各受診者の受診者情報と画像情報を読影者の指定した診断順序順に関連付け、この複数の受診者に対応した診断画像４をキャッシュメモリ１４に格納する。次に、最初の受診者に対応した診断画像４ａをキャッシュメモリ１４から読み込むと共に、サムネイル画像３ａをデータ蓄積部５から読み込み診断画像表示部９及びサムネイル画像表示部８によって表示部２に表示する。そこで、読影者が診断受診者スライド部位１８ａを押し下げ又はメニューを選択すること、若しくはこれに相当する処理を行った際、指定した診断順序順に従って次の受診者に対応した診断画像（図示せず）及びサムネイル画像（図示せず）をキャッシュメモリ１４及びデータ蓄積部５から読み込み、診断画像表示部９及びサムネイル画像表示部８によって表示部２に表示する。
【００５３】
以上のとおり、この発明の医用画像表示装置に係る実施の形態は、複数の受診者及び画像をデータ蓄積部５へ格納する際、データベースを使用しているため、検索・データ取得が容易かつ短時間で行うことができる。つまり、受診者情報や画像情報を受診者ＩＤや画像ＩＤ等の検索キーで容易に検索することができ、検索キーで検索されたデータを取得する際、データベースにデータの関連性を持つことによって、処理時間を短縮することができる。
【００５４】
何となれば、受診者情報及び画像情報はデータベース内で関連付けられているため、診断対象となる受診者を選択することによって、同時にその画像情報も取得することができるからである。
【００５５】
【発明の効果】
以上説明したように、請求項１に記載の発明によれば、データ蓄積部に格納されている受診者に関連付けられた画像の中から複数の診断対象画像データを表示部に一括してサムネイル画像で表示し、該サムネイル画像の中から特定のサムネイル画像を選択することにより該特定のサムネイル画像に対応した診断画像が表示部に表示できるようにしたので、多数の画像データを整理保管し、必要に応じて簡単な操作によって目的とする画像のみを抽出し表示することができ、かつ複数受診者を連続診断することができる。
【００５６】
請求項２に記載の発明によれば、データ蓄積部は、受診者ＩＤ、受診者名等の受診者情報と、画像ＩＤ、診断画像、サムネイル画像等の画像情報とを有し、かつ該画像情報と受診者情報とは互いに関連付けられたデータベースを構成しているので、請求項１の効果に加えて、確実に検索・データ取得が容易かつ短時間で行うことができる。つまり、受診者情報や画像情報を受診者ＩＤや画像ＩＤ等の検索キーで容易に検索することができ、検索キーで検索されたデータを取得する際、データベースにデータの関連性を持つことによって、処理時間を短縮することができる。
【００５７】
請求項３に記載の発明によれば、受診者を一度に複数指定した場合に、該複数の各受診者の受診者情報と画像情報を読影者の指定した診断順序順に関連付けることにより、読影者の操作で次に診断する受診者に関連付けられた画像を表示部に表示させるようにし、複数の受診者の診断画像を診断順序順に連続して読影できるようにしたので、検診や人間ドック等、多数の受診者を診断する際、診断対象となる受診者が変わる毎に、受診者を受診者選択部で選択する手間がなくなるため、請求項１又は２の効果に加えて、単純操作かつ短時間で多数の受診者を診断することができる。
【００５８】
請求項４に記載の発明によれば、診断対象となる受診者に対応する診断画像を一括して格納できるキャッシュメモリを有し、該キャッシュメモリに格納されている診断画像を表示部に表示させることで、診断画像を高速に表示することができるようにしたので、請求項１乃至３のいずれか１つに記載の効果に加えて、大容量の画像データを迅速に読み出すことが可能となるから、読影者を待たせることなく診断画像をより高速に表示することができる。
【００５９】
請求項５に記載の発明によれば、表示部には、サムネイル画像表示領域と診断画像表示領域とを有し、サムネイル画像表示領域に表示されている特定のサムネイル画像を選択して診断画像表示領域へドラッグ＆ドロップすることにより、特定のサムネイル画像に対応する診断画像が表示されるようにしたので、小さな領域から大きな領域へ移動させるといったイメージ通りの操作で診断画像を表示させることができるため、請求項１乃至４のいずれか１つに記載の効果に加えて、初心者にも使い易いものとなる。
【図面の簡単な説明】
【図１】この発明の医用画像表示装置に係る実施の形態の構成を示したブロック図である。
【図２】同実施の形態の表示部に表示される受診者選択部位と画像選択部位とを有する画面の一例である。
【図３】同実施の形態の表示部に表示される診断画像表示領域を有する画面の一例である。
【図４】同実施の形態の選択された画像情報に含まれる診断画像をキャッシュメモリに格納する手順を示したフローチャートである。
【図５】同実施の形態の診断対象のサムネイル画像が選択された時、診断画像を表示する手順を示したフローチャートである。
【図６】同実施の形態の表示部に診断画像を２画面表示した場合の画面の一例である。
【符号の説明】
１　医用画像表示装置
２　表示部
３　サムネイル画像
４　診断画像
５　データ蓄積部
６　入力デバイス
７　サムネイル画像表示部
８　サムネイル画像選択部
９　診断画像表示部
１０　受診者選択部
１０ａ　受診者選択部位
１１　受診者一覧表示部
１２　画像選択部
１２ａ　画像選択部位
１３　画像一覧表示部
１４　キャッシュメモリ
１６　サムネイル画像表示領域
１７　診断画像表示領域
１８　診断受診者スライド部
１８ａ　診断受診者スライド部位
【図１】
2004073680.tif 000003
【図２】
2004073680.tif 000004
【図３】
2004073680.tif 000005
【図４】
2004073680.tif 000006
【図５】
2004073680.tif 000007
【図６】
2004073680.tif 000008